(57)【特許請求の範囲】
【請求項１】
窓の屋内側に着脱自在に設置して使用する線状の窓用ヒータであって、熱伝導性を有する中空状のカバー内上部に設けた突起部内に発熱体を装着したことを特徴とする窓用ヒータ。
【請求項２】
前記カバーの断面形状が蒲鉾型であることを特徴とする請求項１記載の窓用ヒータ。
【請求項３】
前記窓用ヒータの端部に接続具を介して延長用窓用ヒータを接続可能とした請求項２記載の窓用ヒータ。
【請求項４】
前記接続具が両端に端子を突出させたプラグであることを特徴とする請求項３記載の窓用ヒータ。
【請求項５】
前記カバーの下面に係止具及び又は滑止め層を備えていることを特徴とする請求項１〜３記載の窓用ヒータ。
【請求項６】
前記カバーおよび発熱体が伸縮自在であることを特徴とする請求項１，２記載の窓用ヒータ。
【発明の詳細な説明】
【０００１】
【発明の属する技術分野】
本発明は窓用ヒータ、より詳しくは、冬期において窓の結露や冷却を防止する窓用ヒータに関する。
【０００２】
【従来の技術】
建築物に設けられた窓は、部屋の灯り採りやまた換気の為に重要な意味を持ち、特に近年の建築物においては、強化ガラスの出現などにより大型化の傾向にある。
【０００３】
寒冷期において建築物内を暖房すると、室内の温度と外部の温度との差によって、窓ガラスの内側に結露が発生する。この結露は甚だしい場合、窓ガラスを伝って窓枠にまで滴り落ち、床面を濡らしたり、また木製の場合窓枠を腐らせる原因ともなる。
【０００４】
この対策として従来より様々な手段が講じられている。例えば、特開昭６３−２８９１９２号公報には、室内側窓前面に吊り下げるブラインドに温風発生装置を設け、その加熱部で加熱された温風を窓に沿って通風させることにより、結露の発生を防止する技術が開示されている。
【０００５】
また特開平１−９４０１３号公報には、バス車両を対象とし、窓ガラスの上、下側に設けた上部送風ダクトまたは下部送風ダクトに加熱器を設け、ここで送風を加熱し、上部または下部ダクトから吹き出し、下部または上部ダクトに吸い込むようにした空気調和装置が開示されている。
【０００６】
さらに特開平１−２７５８８８号公報には、窓のほぼ全面の大きさのシートに柔軟性ヒータを装着し、このシートの巻き上げ装置及びヒータの温度調節装置を設けた窓用シート状ヒータが提案されている。このような構造によって、シートを引き下げた状態でヒータに通電すると、シートに沿って上昇気流が生じ、また外気で冷却されたガラス窓で冷やされて生じた冷気は、ガラス面に沿って下降して窓枠の下部に衝突する。ここで、冷気は窓枠の下部に沿って室内側に向かって流れようとするが、シートでせき止められ、上昇気流に巻き込まれて窓とシートの間に循環気流が発生し、結露及び窓表面の冷却を効果的に防止することができる。
【０００７】
またこれらに類似した技術が、特開平１−２７５８９０号公報、実開昭５９−２９６３２号公報、特開平２−１８３７３５号公報にも開示されている。
【０００８】
【発明が解決しようとする課題】
上記いずれの技術においても、結露あるいは窓表面の冷却は防止することができるものの、建築物そのものの改造が必要であったり、複雑な機構が必要となるなど、特に既設の建築物においては使用が困難である。
【０００９】
本発明において解決すべき課題は、既設の窓にも何ら特別な改造を施すことなく使用することが可能であり、かつ結露防止効果に優れた窓用ヒータを提供することにある。
【００１０】
【課題を解決するための手段】
本発明は上記課題を解決するために、窓の屋内側に着脱自在に設置して使用する線状の窓用ヒータであって、熱伝導性を有する中空状のカバー内上部に設けた突起部内に発熱体を装着したことを特徴とする。
【００１１】
本発明の窓用ヒータにおいては、窓の屋内側、特に窓枠上に載置することにより、窓用ヒータからの熱気が窓の内側面に沿って上昇し、これによって、建築物になんら改造を施すことなく、簡単な手段で窓内面の結露および冷却を防止することができる。
【００１２】
ここで、熱伝導性を有するカバーとしては、アルミニウムや銅、真鍮などの各種金属製のものを使用することができるが、特に軽量であることや加工性の点からアルミニウム製が望ましい。またカバー内に装着する発熱体としては、市販されている各種構造のヒータを使用することができる。
【００１３】
使用するカバーの断面形状は特に限定されないが、窓枠に安定良く設置することができ、しかも邪魔にならないように底面が直線で円弧状の上面を持つ蒲鉾型が望ましい。また蒲鉾型とすることによって、熱の放散に必要な上面の面積を広くとることができ、これによって効率よく熱を窓面に供給できる。
【００１４】
一般に窓の大きさは建築物によって様々であり、このような多種多様な窓すべてに対して適用可能な窓用ヒータを製作することは困難であり、このため、窓用ヒータの端部に接続具を介して延長用窓用ヒータを接続可能とすることによって少ない部品点数で対応可能となる。この場合、窓用ヒータの１本の長さを７００〜８００ｍｍとし、これを適当本数接続して使用することが望ましい。
【００１５】
この接続具としては、両端に窓用ヒータに差し込むための端子を突出させたプラグを用いることができる。このような接続具を用いることによって、この接続具の両端に窓用ヒータを差し込むだけで簡単に接続することができる。
【００１６】
また、窓用ヒータを狭い窓枠に設置した場合の落下や位置ずれを防止するために、係止用のフックや、また凹凸加工、さらには布製のテープなどからなる滑止め層を形成するのが望ましい。
【００１７】
また、カバーおよび発熱体を蛇腹状にして伸縮自在とすることもできる。この場合、カバーの材質としては、空調用のダクト等に使用されている、スパイラル状の鋼線にアルミ箔を貼り付けたものを、また発熱体としては、フィルム状ヒータを使用することができる。これによって、窓の大きさに応じて伸縮させて使用することが可能となる。
【００１８】
【発明の実施の形態】
以下本発明の窓用ヒータを図面に示す実施の形態に基づいて詳細に説明する。図１は本発明の一実施の形態の窓用ヒータの斜視図、図２は図１に示す窓用ヒータの縦断面図である。
【００１９】
本実施の形態の窓用ヒータ１０は、長さ７５０ｍｍのアルミニウム製カバー１２の内部に発熱体としてのヒータ線１４を装着しており、カバー１２の両側にはプラスチック製のキャップ１６ａ，１６ｂが設けられている。キャップ１６ａには装置のオンオフを示す発光ダイオード（図示せず）が埋め込まれており、一方のキャップ１６ｂは後述する延長のために着脱自在に装着されている。２０は電源コードで、先端側にはコンセント２０ａが、またヒータ側にはマグネット式のプラグがそれぞれ設けられている。
【００２０】
カバー１２は、図２の断面図に明瞭に示すように断面が蒲鉾型の中空状部材であって、この上部に一対の突起部１２ａを形成し、この突起部１２ａ内に耐熱絶縁チューブを介してヒータ線１４が装着されている。したがって、ヒータ線１４に通電すると、ヒータ線１４が発熱し、この熱がカバー１２に熱伝導により伝わり、さらにカバー１２の表面から熱気が上昇することとなる。その際、カバー１２内部が中空であるために特に、下方への熱伝導が阻害され効率よく上方に熱が伝導することとなる。
【００２１】
ヒータ線１４は金属棒からなり、図３に示すように配線されており、基端側には、サーモスタット１７およびヒューズ１８がそれぞれ設けられている。
【００２２】
２２はカバー１２の底面に貼り付けられた滑止め層としての粘着テープで、表面に凹凸のある布製のものを使用することによって、アルミニウム製などの窓枠上に載せた場合にも落下やずれが生じにくい。また、２４はアルミニウム製窓枠に係止させるためのフックである。なお、これら滑止め層２２及びフック２４は状況に応じてなくすこともできる。
【００２３】
次いで、上記窓用ヒータの使用方法について説明する。図４（ａ）は図１に示す窓用ヒータの使用状態を示す正面図、（ｂ）は同じく側面図である。同図に示すように、本実施の形態の窓用ヒータ１０は窓Ｗの枠に載せ、フック２４を窓枠に係止させて使用する。これによって、窓用ヒータ１０からの熱気が窓Ｗの内側面に沿って上昇し、これによって、建築物になんら改造を施すことなく、簡単な手段で窓内面の結露および冷却を防止することができる。
【００２４】
ここで、カバー１２は断面形状を蒲鉾型にしているため、狭い窓枠スペースにも安定して設置することができる。これによって、熱の放散に必要な上面の面積を広くとることができ、効率よく熱を窓面に供給できる。さらにカバー１２の底面に滑止め層２２を設け、また係止用フック２４を有することによって、窓枠に着脱自在でありながら安定的な使用が可能となる。また、電源コード２０はマグネット式のプラグであるために、ひっかけた場合にはプラグ部分からはずれ、窓用ヒータ１０そのものが落下する危険も少ない。
【００２５】
次いで、上記窓用ヒータ１０の延長方法について説明する。ここで図５は接続プラグの斜視図、図６は窓用ヒータの端部を示す分解斜視図、図７は接続プラグの使用状況を示す斜視図、図８は接続部分の詳細図である。
【００２６】
図５を参照して、接続プラグ３０は、カバー１２とほぼ同じ断面形状の本体３０ａ、窓用ヒータ１０端部の凹部に差し込むための一対のピン３０ｂ、このピン３０ｂと逆方向に形成され、後述する延長ヒータ４０端部の凹部に差し込むためのピン３０ｃからなる。
【００２７】
窓用ヒータ１０のキャップ１６ｂは、図６の分解斜視図に示すように着脱可能であり、キャップ１６ｂをはずした状態で、接続プラグ３０のピン３０ｂを窓用ヒータ１０のピン孔１２ｃに差し込み、その反対側に延長用ヒータ４０を差し込む。これによって、図７及び図８に示すように窓用ヒータ１０と延長用ヒータ４０とを電気的にもまた構造的にも一体化し、窓の大きさに応じた長さにすることができる。
【００２８】
このように本実施の形態の窓用ヒータは、窓用ヒータ１０の端部に接続具３０を介して延長用窓用ヒータ４０を接続可能とすることによって、少ない部品点数で大きさの異なる窓にも対応が可能となる。
【００２９】
なお上記実施の形態の他、ブラインドに組み込んだり、窓枠に装着したり、また吸盤によって窓ガラスに取り付けられるようにすることもできる。
【００３０】
【発明の効果】
本発明によって以下の効果を奏することができる。
【００３１】
（１）熱伝導性を有する中空状のカバー内上部に設けた突起部内に発熱体を装着した線状の窓用ヒータによって、建築物になんら改造を施すことなく、簡単な手段で窓内面の結露および冷却を防止することができる。
【００３２】
（２）カバーの断面形状を蒲鉾型とすることによって、高い放熱効果を維持しつつ、かつ安定良く窓枠などに設置することができる。
【００３３】
（３）窓用ヒータの端部に、接続具を介して延長用窓用ヒータを接続可能とすることによって、多種多様な窓に対して適用可能となる。
【００３４】
（４）カバーの下面に係止具及び又は滑止め層を備えることによって、窓枠に設置した場合の落下や位置ずれを防止することが可能となる。
【００３５】
（５）カバーおよび発熱体を伸縮自在なものとすることによって、幅の異なる窓にも１つの規格で対応可能となる。
【図面の簡単な説明】
【図１】  本発明の一実施の形態の窓用ヒータの斜視図である。
【図２】  図１に示す窓用ヒータの縦断面図である。
【図３】  ヒータ線の配線状況を示す説明図である。
【図４】  （ａ）は図１に示す窓用ヒータの使用状態を示す正面図、（ｂ）は側面図である。
【図５】  接続プラグの斜視図である。
【図６】  窓用ヒータの端部を示す分解斜視図である。
【図７】  接続プラグの使用状況を示す斜視図である。
【図８】  接続部分の詳細図である。
【符号の説明】
１０  窓用ヒータ
１２  カバー
１４  ヒータ線
１６ａ，１６ｂ  キャップ
１７  サーモスタット
１８  温度ヒューズ
２０  電源コード
２２  滑止め層
２４  フック
３０  接続プラグ
４０  延長ヒータ
【図１】
0003933265.tif 000002
【図２】
0003933265.tif 000003
【図３】
0003933265.tif 000004
【図４】
0003933265.tif 000005
【図５】
0003933265.tif 000006
【図６】
0003933265.tif 000007
【図７】
0003933265.tif 000008
【図８】
0003933265.tif 000009